(57)【要約】 【課題】ユーザの利便性を向上させることが可能な画像投射装置、制御方法およびプログラムを提供する。【解決手段】一対の電極間の放電により発光物質が発光する光源と、光源から出射される光の強度を変調して画像を形成する画像形成部と、を備える画像投射装置であって、受付部と電力制御部とを備える。受付部は、画像投射装置への電力供給を停止する契機となる入力を示す停止入力を受け付ける。電力制御部は、停止入力を受付部で受け付けた場合、画像投射装置への電力供給を停止する前に、電極に供給する電力の値を増加させる制御を行う。【選択図】図９
2014081547.tif 000002
【特許請求の範囲】
【請求項１】
一対の電極間の放電により発光物質が発光する光源と、前記光源から出射される光の強度を変調して画像を形成する画像形成部と、を備える画像投射装置であって、
前記画像投射装置への電力供給を停止する契機となる入力を示す停止入力を受け付ける受付部と、
前記停止入力を前記受付部で受け付けた場合、前記画像投射装置への電力供給を停止する前に、前記電極に供給する電力の値を増加させる制御を行う電力制御部と、を備える、
画像投射装置。
【請求項２】
前記発光物質は水銀を含む、
請求項１に記載の画像投射装置。
【請求項３】
前記停止入力は、前記画像投射装置への電力供給を行うか否かを指示する電源ボタンの１回目の押下操作による入力を示す第１入力であり、
前記電力制御部は、前記電源ボタンの２回目以降の押下操作による入力を示す第２入力を前記受付部で受け付けた後、前記画像投射装置に対する電力の供給を停止する制御を行う、
請求項１に記載の画像投射装置。
【請求項４】
前記第１入力を前記受付部で受け付けた場合、前記画像投射装置への電力供給が停止されることを報知する報知画像を表示する制御を行う報知制御部をさらに備える、
請求項３に記載の画像投射装置。
【請求項５】
前記第１入力を前記受付部で受け付けた場合、投影面に投射される画像の元となる画像データに含まれる各画素の階調値を低減する制御を行う画像制御部をさらに備える、
請求項３または請求項４に記載の画像投射装置。
【請求項６】
前記電力制御部は、
前記受付部で前記第１入力を受け付けたことを契機として前記電極に供給する電力の値を増加させる制御を開始した場合は、予め定められた時間が経過するまでの間、前記第２入力を前記受付部で受け付けても前記画像投射装置に対する電力の供給を停止する制御を行わない、
請求項３に記載の画像投射装置。
【請求項７】
前記電力制御部は、
前記受付部で前記第１入力を受け付けたことを契機として前記電極に供給する電力の値を増加させる制御を開始した場合は、前記電極に供給する電力の値が閾値に到達するまでの間、前記第２入力を前記受付部で受け付けても前記画像投射装置に対する電力の供給を停止する制御を行わない、
請求項３に記載の画像投射装置。
【請求項８】
前記画像投射装置への電力供給を行うか否かを指示する電源ボタンの１回目の押下操作による入力を示す第１入力を前記受付部で受け付けた場合、前記画像投射装置への電力供給が停止されることを報知する報知画像を表示する制御を行う報知制御部をさらに備え、
前記停止入力は、前記電源ボタンの２回目以降の押下操作による入力を示す第２入力であり、
前記電力制御部は、前記第２入力を前記受付部で受け付けた場合、前記電極に供給する電力の値を増加させる制御を開始し、前記電極に供給する電力の値が閾値に到達、または、予め定められた時間が経過した後に、前記画像投射装置に対する電力の供給を停止する制御を行う、
請求項１に記載の画像投射装置。
【請求項９】
前記光源を冷却する冷却ファンと、
前記停止入力を前記受付部で受け付けた場合、前記冷却ファンの回転数を、現時点の値から上昇させる制御を行う冷却ファン制御部と、をさらに備える、
請求項１に記載の画像投射装置。
【請求項１０】
前記電力制御部は、前記電極に供給する電力の値が閾値に到達した場合、前記電極に供給する電力の値を前記閾値に維持する制御を行う、
請求項１に記載の画像投射装置。
【請求項１１】
一対の電極間の放電により発光物質を発光させる光源と、光源から出射される光の強度を変調して画像を形成する画像形成部と、を備える画像投射装置の制御方法であって、
前記画像投射装置への電力供給を停止する契機となる入力を示す停止入力を受け付ける受付ステップと、
前記停止入力を受け付けた場合、前記画像投射装置への電力供給を停止する前に、前記電極に供給する電力の値を増加させる制御を行う電源制御ステップと、を含む、
制御方法。
【請求項１２】
一対の電極間の放電により発光物質を発光させる光源と、前記光源から出射される光の強度を変調して画像を形成する画像形成部と、を備える画像投射装置に搭載されたコンピュータに、
前記画像投射装置への電力供給を停止する契機となる入力を示す停止入力を受け付ける受付ステップと、
前記停止入力を受け付けた場合、前記画像投射装置への電力供給を停止する前に、前記電極に供給する電力の値を増加させる制御を行う電源制御ステップと、を実行させるためのプログラム。
【発明の詳細な説明】
【技術分野】
【０００１】
本発明は、画像投射装置、制御方法およびプログラムに関する。
【背景技術】
【０００２】
例えば、プロジェクタの光源として広く用いられている超高圧水銀ランプは、発光管内に設けられた一対の電極間のアーク放電を利用して、発光管内部に封入された水銀蒸気（発光物質）を発光させる。プロジェクタの電源がオフになると水銀蒸気は液体へと戻るが、この時、一対の電極に液体水銀が付着することで、電極間をショート（短絡）させてしまうことがある。この現象を水銀ブリッジと呼び、プロジェクタ不点灯の原因となる。
【０００３】
水銀ブリッジは、液化した水銀は低温部に付着しやすい、電極部は管球部（発光管）に比べ温度変化しやすくプロジェクタの電源オフ後に電極部の温度は管球部より低くなりやすい、という２つの特性により発生する。特に、電極の温度とランプ電力（電極に供給される電力）には相関関係があるので、ランプ電力が低い状態からプロジェクタの電源がオフされると電極と管球部の温度差が広がり、水銀ブリッジの発生確率が飛躍的に高まる。そこで、プロジェクタの電源オフ後も一定時間にわたってランプを冷却し続けるアフタークーリングを実施することで、電極と管球部の温度差を小さくし、水銀ブリッジの発生確率を低下させる技術が既に知られている。また、例えば特許文献１には、水銀ブリッジを防止するために、プロジェクタの電源をオフする際、一定時間にわたってランプ電力を低い状態に維持した後に電源をオフするという技術が開示されている。
【発明の概要】
【発明が解決しようとする課題】
【０００４】
しかしながら、上記アフタークーリングを必要とするプロジェクタでは、使用者がプロジェクタを使い終え片付ける際に、電源をオフにしても冷却ファンが回り続けプロジェクタが完全に停止しないため、すぐに片づけを行うことができない、ファンの騒音が会話の妨げになる、ユーザ（使用者）が故障と勘違いし、クレームになる、などの問題がある。また、特許文献１に開示された技術では、アフタークーリングを必要としないものの、管球部の温度が水銀の沸点以下に下がるまでの間、ランプ電力が低い状態に維持されるので、プロジェクタの電源オフ後すぐにプロジェクタが完全に動作停止せず、さらに、管球部の温度が水銀の沸点以下に下がるまで長時間を要するために、すぐに片付けを行うことができないといった問題がある。すなわち、従来技術においては、ユーザの利便性が損なわれていた。
【０００５】
本発明は、上記に鑑みてなされたものであって、ユーザの利便性を向上させることが可能な画像投射装置、制御方法およびプログラムを提供することを目的とする。
【課題を解決するための手段】
【０００６】
上述した課題を解決し、目的を達成するために、本発明は、一対の電極間の放電により発光物質が発光する光源と、前記光源から出射される光の強度を変調して画像を形成する画像形成部と、を備える画像投射装置であって、前記画像投射装置への電力供給を停止する契機となる入力を示す停止入力を受け付ける受付部と、前記停止入力を前記受付部で受け付けた場合、前記画像投射装置への電力供給を停止する前に、前記電極に供給する電力の値を増加させる制御を行う電力制御部と、を備える画像投射装置である。
【０００７】
また、本発明は、一対の電極間の放電により発光物質を発光させる光源と、前記光源から出射される光の強度を変調して画像を形成する画像形成部と、を備える画像投射装置の制御方法であって、前記画像投射装置への電力供給を停止する契機となる入力を示す停止入力を受け付ける受付ステップと、前記停止入力を受け付けた場合、前記画像投射装置への電力供給を停止する前に、前記電極に供給する電力の値を増加させる制御を行う電源制御ステップと、を含む制御方法である。
【０００８】
さらに、本発明は、一対の電極間の放電により発光物質を発光させる光源と、光源から出射される光の強度を変調して画像を形成する画像形成部と、を備える画像投射装置に搭載されたコンピュータに、前記画像投射装置への電力供給を停止する契機となる入力を示す停止入力を受け付ける受付ステップと、前記停止入力を受け付けた場合、前記画像投射装置への電力供給を停止する前に、前記電極に供給する電力の値を増加させる制御を行う電源制御ステップと、を実行させるためのプログラムである。
【発明の効果】
【０００９】
本発明によれば、ユーザの利便性を向上させることができる。
【図面の簡単な説明】
【００１０】
【図１】図１は、実施形態のプロジェクタの斜視図である。
【図２】図２は、実施形態のプロジェクタの側面図である。
【図３】図３は、実施形態の光学装置、及び光源装置を示す内部断面図である。
【図４】図４は、実施形態の光学装置、及び光源装置を示す斜視図である。
【図５】図５は、実施形態の高圧水銀ランプの断面図である。
【図６】図６は、従来のプロジェクタの電極および管球部の各々の温度の経時的変化の一例を示す図である。
【図７】図７は、従来のプロジェクタの電極および管球部の各々の温度の経時的変化の一例を示す図である。
【図８】図８は、実施形態のプロジェクタのハードウェア構成例を示す図である。
【図９】図９は、実施形態のプロジェクタの機能構成例を示すブロック図である。
【図１０】図１０は、実施形態のプロジェクタの電源オフ時の動作例を示すフローチャートである。
【図１１】図１１は、実施形態のプロジェクタの電極および管球部の各々の温度の経時的変化の一例を示す図である。
【発明を実施するための形態】
【００１１】
以下、添付図面を参照しながら、本発明に係る画像投射装置、制御方法およびプログラムの実施形態を詳細に説明する。
【００１２】
図１は、本発明が適用される画像投射装置としてのプロジェクタ１の斜視図、図２は、プロジェクタ１の側面図である。なお、図２ではプロジェクタ１の投射レンズ１０から発した投射光が被投射面であるスクリーン２に照射されている状態が示されている。
【００１３】
また、図３は、配置された光学装置３、及び光源装置４の断面図であり、図４はプロジェクタ１が備える光学装置３、及び光源装置４の斜視図である。
【００１４】
図３、図４に示されるように、光学装置３は、照明機構３ａ、及び投射機構３ｂを備える。光学装置３は、カラーホイール５、ライトトンネル６、リレーレンズ７、平面ミラー８、凹面ミラー９を備えている。また、光学装置３には、ＤＭＤ素子によって形成された画像形成部１１が設けられている。
【００１５】
円盤状のカラーホイール５は、光源装置４からの白色光を単位時間毎にＲＧＢの各色が繰り返す光に変換してライトトンネル６に向けて出射する。ライトトンネル６は、板ガラスを張り合わせて筒状に構成されており、カラーホイール５から出射された光をリレーレンズ７へと導出する。リレーレンズ７は、二枚のレンズを組み合わせて構成されており、ライトトンネル６から出射される光の軸上色収差を補正しつつ集光する。平面ミラー８、及び凹面ミラー９は、リレーレンズ７により出射される光を反射して、画像形成部１１へと案内して、集光させる。画像形成部１１は、複数のマイクロミラーからなる矩形状のミラー面を有し、映像や画像のデータに基づいて各マイクロミラーが時分割駆動されることにより、所定の画像データを形成するように投射光を加工して反射するＤＭＤ素子を備えている。
【００１６】
また、光源装置４は、後述の高圧水銀ランプを光源として備えている。光源装置４は光学装置３の照明機構３ａに向けて白色光を照射する。照明機構３ａ内においては、光源装置４から照射された白色光がＲＧＢに分光され、画像形成部１１へと導出される。そして、画像形成部１１は、光源装置４から出射される光の強度を変調して画像を形成し、画像形成部１１により形成された画像は投射機構３ｂによってスクリーン２に拡大投射される。なお、本実施形態では、画像形成部１１は、ＤＭＤ素子によって形成されているが、これに限らず、例えば液晶ライトバルブによって形成されてもよい。要するに、画像形成部１１は、光源装置４から出射される光の強度を変調して画像を形成する機能を有するものであればよく、その種類は任意に変更可能である。
【００１７】
また、図３で示される画像形成部１１の図中手前側となる鉛直方向上方には、画像形成部１１に入射した光のうち、投射光としては使用しない不要な光を受光するＯＦＦ光板が設けられている。画像形成部１１に光が入射すると、ＤＭＤ素子の働きにより時分割で映像データに基づいて複数のマイクロミラーが作動し、このマイクロミラーによって使用する光は投射レンズ１０へと反射され、捨てる光はＯＦＦ光板へと反射される。画像形成部１１では、投射画像に使用する光は投射機構３ｂへと反射され、複数の投射レンズ１０を通って拡大され、拡大された映像光が投射される。
【００１８】
図５は、光源装置４が光源として備える高圧水銀ランプ３０の断面図である。図５に示すように、高圧水銀ランプ３０は、管球部３１と、管球部３１内に高圧で封入された水銀３２と、管球部３１内に設けられた一対の電極３３と、リフレクタ３４とを含む。高圧水銀ランプ３０は、一対の電極３３間の放電により水銀３２が発光することで、光源として機能する。
【００１９】
より具体的には以下のとおりである。一対の電極３３は、例えばタングステンで形成される。一対の電極３３間に高電圧が印加されるとアーク放電が形成され、管球部３１内に高圧で封入された水銀３２との相互作用により輝線スペクトル、連続スペクトルが発生し、発光する。管球部３１から発せられた光は、リフレクタ３４で反射し、ある一点に集光する。管球部３１内には水銀３２の他に始動希ガスやその他ハロゲンが封入されている。一対の電極３３間が液化した水銀によって繋がる（短絡する）水銀ブリッジが発生すると、一対の電極３３間に電圧を印加することができずアーク放電が形成されないため、不点灯となってしまう。
【００２０】
ここで、上述の高圧水銀ランプ３０が光源として使用される従来のプロジェクタを想定する。図６は、プロジェクタの電源をオフ（プロジェクタに対する電力供給を停止）した後にアフタークーリングを実施しない場合の電極３３および管球部３１の各々の温度の経時的変化の一例を示す図である。図６のＰ１は、電極３３の温度の経時的変化を示し、図６のＱ１は、管球部３１の温度の経時的変化を示す。図６に示すように、電源オフ直後（時間ｔ＝０）においては、電極３３の温度Ｔ１は管球部３１の温度Ｔ２に比べて非常に高いが、電極３３は管球部３１に比べて温度が下がり易い（管球部３１に比べて比熱が小さい）ため、時間ｔ＝ｔ１になると電極３３と管球部３１は同じ温度となり、時間ｔ＝ｔ１以降は、管球部３１の温度が電極３３の温度を上回り、時間の経過とともに温度差は広がっていく。時間ｔ＝ｔ１以降に、水銀３２が液体に戻り始めると、電極３３の温度の方が管球部３１の温度よりも低くなっているため、電極３３に水銀が付着しやすく、水銀ブリッジの発生確率が高まってしまう。
【００２１】
図７は、図６の場合よりも、電極３３に供給される電力（ランプ電力）が高い状態でプロジェクタの電源をオフした後の電極３３と管球部３１の各々の温度の経時的変化の一例を示す図である。図７のＰ２は、電極３３の温度の経時的変化を示し、図７のＱ２は、管球部３１の温度の経時的変化を示す。図７の例では、プロジェクタの電源をオフする直前のランプ電力が図６の場合に比べて高いため、電源オフ直後の電極３３の温度Ｔ３はＴ１よりも高くなる。一方で、管球部３１の温度は電極３３ほど大きく変化しないので、図７に示す電源オフ直後の電極３３と管球部３１の温度差（Ｔ３−Ｔ４）は、図６に示す電源オフ直後の電極３３と管球部３１の温度差（Ｔ１−Ｔ２）に比べて大きくなる。したがって、図７に示すように、電源オフ直後から、電極３３の温度が管球部３１の温度を下回るまでの時間ｔ２もｔ１より長くなり、電極３３の温度が管球部３１の温度を下回る時間を図６の場合に比べて短くすることができる。つまり、ランプ電力が高い状態から電源をオフすると、水銀ブリッジが起こりにくくなる。
【００２２】
そこで、本実施形態では、電源オフの契機となる入力を受け付けた場合、電源オフの前に、電極３３に供給する電力を増加させる制御を行っている。これにより、アフタークーリングを実施しなくても水銀ブリッジの発生を抑制できる。また、例えば電極３３に供給する電力を所定の目標値（閾値）まで増加させるのに要する時間（電極３３の温度を所定の目標値まで増加させるのに要する時間）は、管球部３１の温度が水銀３２の沸点以下まで下がるのに要する時間に比べて大幅に短いので、特許文献１に開示された技術に比べて、プロジェクタの完全停止を早めることができる。以下、具体的な内容を説明する。
【００２３】
図８は、本発明を実現するのに最低限必要なプロジェクタ１のハードウェア構成例を示す図である。図８に示すように、プロジェクタ１は、高圧水銀ランプ３０と、冷却ファン４０と、画像形成部１１と、電源ボタン５０と、制御装置６０と、を含む。上述したように、高圧水銀ランプ３０は、一対の電極３３間の放電により水銀３２が発光する光源である。冷却ファン４０は、高圧水銀ランプ３０を冷却するためのファンであり、制御装置６０の制御により駆動する。上述したように、画像形成部１１は、高圧水銀ランプ３０（光源装置４）から出射される光の強度を変調して画像を形成する。画像形成部１１により形成された画像は、投射機構３ｂ（図８では不図示）によってスクリーン２（図８では不図示）に拡大投射される。
【００２４】
電源ボタン５０は、プロジェクタ１への電力供給を行うか否かを指示するための操作デバイスである。プロジェクタ１への電力供給を停止する場合（電源オフにする場合）、ユーザは、電源ボタン５０の押下操作を行う。この例では、電源ボタン５０の１回目の押下操作が行われると、プロジェクタ１への電力供給を停止することを報知する報知画像がスクリーン２に投射される。そして、投影された報知画像を確認したユーザが、電源ボタン５０の２回目の押下操作を行うと、プロジェクタ１への電力供給は停止する（電源オフとなる）。詳細な内容については後述する。
【００２５】
制御装置６０は、プロジェクタ１全体の動作を統括的に制御する装置である。図９は、制御装置６０の機能構成例を示すブロック図である。図９に示すように、制御装置６０は、受付部６１と、電力制御部６２と、報知制御部６３と、画像制御部６４と、冷却ファン制御部６５と、を備える。
【００２６】
受付部６１は、ユーザによる入力を受け付ける。本実施形態では、受付部６１は、プロジェクタ１への電力供給を停止する契機となる入力を示す停止入力を受け付ける。この例では、停止入力とは、電源ボタン５０の１回目の押下操作による入力（以下の説明では、「第１入力」と呼ぶ場合がある）を指す。
【００２７】
電力制御部６２は、プロジェクタ１に対する電力供給（停止も含む）を制御する。本実施形態では、電力制御部６２は、上述の第１入力を受付部６１で受け付けた場合、プロジェクタ１への電力供給を停止する前に、電極３３に供給する電力の値を増加させる制御を行う。なお、本実施形態では、電力制御部６２は、電極３３に供給する電力の値が閾値（予め定められた目標値）に到達した場合、電極３３に供給する電力の値を閾値に維持する制御を行う。また、例えば、第１入力を受付部６１で受け付けた時点において電極３３に供給される電力の値が閾値以上の場合は、電力制御部６２は、電極３３に供給する電力の値を当該閾値に維持する制御を行う。
【００２８】
また、電力制御部６２は、電源ボタン５０の２回目以降の押下操作による入力（以下の説明では「第２入力」と呼ぶ場合がある）を受付部６１で受け付けた後、プロジェクタ１に対する電力の供給を停止する制御を行う。本実施形態では、電力制御部６２は、受付部６１で第１入力を受け付けたことを契機として電極３３に供給する電力の値を増加させる制御を開始した場合は、予め定められた時間が経過するまでの間、第２入力を受付部６１で受け付けてもプロジェクタ１に対する電力の供給を停止する制御を行わない。
【００２９】
報知制御部６３は、上述の第１入力を受付部６１で受け付けた場合、プロジェクタ１への電力供給が停止されることを報知する報知画像を表示する制御を行う。より具体的には、報知制御部６３は、現在スクリーン２に投射されている画像に、報知画像を重畳させた重畳画像を表示する制御を行う。この重畳画像は、報知制御部６３の制御の下、画像形成部１１により形成され、画像形成部１１により形成された重畳画像が投射機構３ｂによってスクリーン２上に拡大投射される。ユーザは、スクリーン２に投射された重畳画像（報知画像）を確認して、プロジェクタ１の電源をオフしてよいと判断した場合は、再度電源ボタン５０の押下操作を行う一方、電源オフをキャンセルする場合や、誤って電源ボタン５０を押下操作していた場合は、電源ボタン５０の押下操作を行わずに、そのまま一定時間が経過するのを待つか、他のボタン（スクリーン２に投射される画像を、１つ前のフレームに戻すボタン等）の押下操作を行う。
【００３０】
画像制御部６４は、上述の第１入力を受付部６１で受け付けた場合、スクリーン２に投射される画像（この例では、上述の重畳画像）の元となる画像データに含まれる各画素の階調値を低減する制御を行う。上述したように、第１入力を受付部６１で受け付けた場合、電力制御部６２は、電極３３に供給する電力を増加させる制御を行うので、高圧水銀ランプ３０から出射される光の強度も高くなる。このとき、スクリーン２に投射される画像の元となる画像データを構成する各画素の階調値（各画素に対して指定された階調値）がそのままだと、高圧水銀ランプ３０から出射される光の強度が高くなっている分、スクリーン２に投射される画像が明るくなるので、スクリーン２に投射された画像を観察するユーザが眩しいと感じるおそれがある。また、これから電源オフするのにも関わらずスクリーン２上の画像の明るさが高まることに対して違和感を覚える場合もあり、ユーザーフレンドリーの観点からは好ましくない。
【００３１】
そこで、本実施形態では、画像制御部６４は、上述の第１入力を受付部６１で受け付けた場合、スクリーン２に投射される画像の元となる画像データに含まれる各画素の階調値を低減する制御を行うので、電力制御部６２の制御により高圧水銀ランプ３０から出射される光の強度が高まっても、スクリーン２に投射される画像の明るさが高まることを抑制できる。これにより、スクリーン２に投射された画像を観察するユーザが眩しいと感じることを抑制できるとともに、ユーザが違和感を覚えることも無いので、ユーザーフレンドリーの観点から格別に有効である。
【００３２】
冷却ファン制御部６５は、冷却ファン４０の駆動を制御する。より具体的には、冷却ファン制御部６５は、冷却ファン４０を駆動するモータの回転数等を制御する。
【００３３】
本実施形態では、制御装置６０は、ＣＰＵ、ＲＯＭ、ＲＡＭ等を備えたコンピュータ装置で構成され、上述の受付部６１、電力制御部６２、報知制御部６３、画像制御部６４、および、冷却ファン制御部６５の各々の機能は、ＣＰＵがＲＯＭ等に格納されたプログラムを実行することにより実現されるが、これに限られるものではない。例えば上述の受付部６１、電力制御部６２、報知制御部６３、画像制御部６４、および、冷却ファン制御部６５の各々の機能のうちの少なくとも一部の機能が、専用のハードウェア回路で実現される形態であってもよい。
【００３４】
なお、上述の制御装置６０が実行するプログラムは、インストール可能な形式又は実行可能な形式のファイルでＣＤ−ＲＯＭ、フレキシブルディスク（ＦＤ）、ＣＤ−Ｒ、ＤＶＤ（Ｄｉｇｉｔａｌ  Ｖｅｒｓａｔｉｌｅ  Ｄｉｓｋ）等のコンピュータで読み取り可能な記録媒体に記録して提供するように構成してもよい。さらに、上述の制御装置６０が実行するプログラムを、インターネット等のネットワークに接続されたコンピュータ上に格納し、ネットワーク経由でダウンロードさせることにより提供するように構成してもよい。また、上述の制御装置６０が実行するプログラムをインターネット等のネットワーク経由で提供または配布するように構成してもよい。
【００３５】
次に、図１０を参照しながら、電源をオフする際のプロジェクタ１の動作例を説明する。図１０は、電源をオフする際のプロジェクタ１の動作例を示すフローチャートである。まず、ユーザは、電源ボタン５０の１回目の押下操作を行う。これにより、受付部６１は第１入力を受け付ける（ステップＳ１）。次に、報知制御部６３は、プロジェクタ１への電力供給が停止されることを報知する報知画像を表示する制御を行う（ステップＳ２）。次に、電力制御部６２は、電極３３に供給する電力を、現在の値から増加させる制御を行う（ステップＳ３）。なお、上述のステップＳ２とステップＳ３の順番は任意であり、例えば並行して行われてもよい。
【００３６】
次に、画像制御部６４は、スクリーン２に投射された画像（この例では、上述の重畳画像）の元となる画像データに含まれる各画素の階調値を低減する制御を行う（ステップＳ４）。なお、上述のステップＳ３とステップＳ４の順番は任意であり、例えば並行して行われてもよい。次に、電力制御部６２は、上述のステップＳ３の制御（電極３３に供給する電力を増加させる制御）を開始してから一定時間（予め定められた時間）経過後に、受付部６１で第２入力を受け付けたか否かを判断する（ステップＳ５）。上述のステップＳ３の制御を開始してから一定時間経過後に第２入力を受け付けたと判断した場合（ステップＳ５：ＹＥＳ）、電力制御部６２は、プロジェクタ１に対する電力の供給を停止する制御を行う（ステップＳ６）。見方を変えれば、上述のステップＳ３の制御を開始してから一定時間を経過しないうちに電源ボタン５０の押下操作が行われても、電力制御部６２は、プロジェクタ１に対する電力の供給を停止する制御を行わないので、電極３３に供給する電力を十分に増加させることができる。これにより、電源オフ時の電極３３と管球部３１との温度差を十分に広げることができるので、電源オフ後の水銀ブリッジをより発生しにくくすることができる。
【００３７】
一方、上述のステップＳ３の制御を開始してから一定時間経過後に第２入力を受け付けていないと判断した場合（ステップＳ５：ＮＯ）、例えばステップＳ３の制御を開始してから一定時間経過しても、ユーザは電源ボタン５０の押下操作を行わない場合や、電源ボタン５０とは異なる他のボタンの押下操作を行った場合は、電力制御部６２は、プロジェクタ１に対する電力の供給を停止する制御を行わずに、上述のステップＳ３の制御を開始してから一定時間経過後に第２入力を受け付けていない旨を報知制御部６３に通知する。この通知を受けた報知制御部６３は、報知画像を非表示にする制御を行う（ステップＳ７）。次に、電力制御部６２は、電極３３に供給する電力の値を、元に戻す制御を行う（ステップＳ８）。より具体的には、電力制御部６２は、電極３３に供給する電力の値を、上述のステップＳ３の制御を開始する直前の値に戻す制御を行う。
【００３８】
図１１は、本実施形態のプロジェクタ１の電源をオフした後にアフタークーリングを実施しない場合の電極３３および管球部３１の各々の温度の経時的変化の一例を示す図である。図１１のＰ３は、電極３３の温度の経時的変化を示し、図１１のＱ３は、管球部３１の温度の経時的変化を示す。
【００３９】
図１１の例では、時間ｔ＝０（ｓ）のときに、１回目の電源ボタン５０の押下操作が行われ、報知画像が表示されるとともに、電極３３に供給する電力の値を増加させる制御が行われる。すると、図１１に示すように、電極３３の温度は急激に上昇するのに対し、管球部３１の温度は緩やかに（なだらかに）上昇するため、時間の経過とともに電極３３と管球部３１との温度差は広がっていく。そして、１回目の電源ボタン５０の押下操作が行われてから時間ｔ(ｓ)だけ経過した後、２回目の電源ボタン５０の押下操作が行われ、プロジェクタ１の電源がオフされると、電極３３の温度は管球部３１の温度よりも大きいレートで低下していくが、電源オフ時（１回目の電源ボタン５０の押下操作が行われてから時間ｔ(ｓ)だけ経過した時点）の電極３３と管球部３１との温度差を、図６および図７の場合に比べて大きくすることができるので、電源オフ後も、長時間にわたって、電極３３の温度が管球部３１の温度よりも高い状態を保つことができる。これにより、アフタークーリングを実施しなくても水銀ブリッジの発生確率を低下させることができる。
【００４０】
以上に説明したように、本実施形態では、電源オフの契機となる入力を示す停止入力（本実施形態では、電源ボタン５０の１回目の押下操作による入力を示す第１入力）を受け付けた場合、電源オフの前に、電極３３に供給する電力を増加させる制御を行うことにより、アフタークーリングを実施しなくても水銀ブリッジの発生を抑制できる。また、電源オフの前に、例えば電極３３に供給する電力を所定の目標値（閾値）まで増加させるのに要する時間（電極３３の温度を所定の目標値まで増加させるのに要する時間）は、管球部３１の温度が水銀３２の沸点以下まで下がるのに要する時間に比べて大幅に短いので、特許文献１に開示された技術に比べて、プロジェクタの完全停止を早めることができる。したがって、本実施形態によれば、ユーザの利便性を向上させることが可能なプロジェクタを提供できるという有利な効果を奏する。
【００４１】
以上、本発明の実施形態を説明したが、上述の実施形態は、例として提示したものであり、発明の範囲を限定することは意図していない。本発明は、上述の実施形態そのままに限定されるものではなく、実施段階ではその要旨を逸脱しない範囲で構成要素を変形して具体化できる。また、上述の実施形態に開示されている複数の構成要素の適宜な組み合わせにより、種々の発明を形成できる。例えば、実施形態に示される全構成要素から幾つかの構成要素を削除してもよい。
【００４２】
（変形例）
以下、変形例を記載する。以下の変形例は、任意に組み合わせることもできるし、上述の実施形態と適宜に組み合わせることもできる。
【００４３】
（１）変形例１
上述の実施形態のプロジェクタ１に使用され得る光源としては、一対の電極間の放電により発光物質（例えば水銀）が発光する光源であって、電極に対する電力の供給が停止すると、発光物質が電極に付着して短絡が起こり得るものであればよく、高圧水銀ランプに限定されるものではない。
【００４４】
（２）変形例２
上述の実施形態では、電力制御部６２は、受付部６１で第１入力を受け付けたことを契機として電極３３に供給する電力の値を増加させる制御を開始した場合は、予め定められた時間が経過するまでの間、第２入力を受付部６１で受け付けてもプロジェクタ１に対する電力の供給を停止する制御を行わないが、これに限られるものではない。例えば電力制御部６２は、受付部６１で第１入力を受け付けたことを契機として電極３３に供給する電力の値を増加させる制御を開始した場合は、電極３３に供給する電力の値が閾値（所定の目標値）に到達するまでの間、第２入力を受付部６１で受け付けてもプロジェクタ１に対する電力の供給を停止する制御を行わない形態であってもよい。
【００４５】
（３）変形例３
上述の実施形態では、第１入力を受付部６１で受け付けた場合に、電力制御部６２は、電極３３に供給する電力を増加させる制御を行っているが、これに限られるものではない。例えば第１入力を受付部６１で受け付けた場合、報知制御部６３は、上述の報知画像を表示する制御を行い、その後、第２入力を受付部６１で受け付けた場合、電力制御部６２は、電極３３に供給する電力の値を増加させる制御を開始し、電極３３に供給する電力の値が閾値に到達、または、予め定められた時間が経過した後に、プロジェクタ１に対する電力の供給を停止する制御を行う形態であってもよい。要するに、電源ボタン５０の２回目以降の押下操作による入力を示す第２入力が、請求項の「停止入力」に対応する形態であってもよい。
【００４６】
（４）変形例４
上述の実施形態では、電源ボタン５０の１回目の押下操作が行われると、報知画像が表示され、報知画像を確認したユーザが、電源ボタン５０の押下操作を再度行うことにより、プロジェクタ１の電源がオフになる形態であるが、これに限らず、例えば電源ボタン５０の１回目の押下操作が行われると、報知画像が表示されずに、プロジェクタ１の電源がオフになる形態であってもよい。この形態においては、電源ボタン５０の１回目の押下操作による入力を示す第１入力を受付部６１で受け付けた場合、電力制御部６２は、電極３３に供給する電力を増加させる制御を行う。この場合、電力制御部６２は、電極３３に供給する電力を増加させる制御を開始してから、予め定められた時間が経過するまでの間、または、電極３３に供給する電力の値が閾値（所定の目標値）に到達するまでの間は、プロジェクタ１に対する電力の供給を停止する制御を行わないことが好ましい。
【００４７】
要するに、本発明に係る画像投射装置は、画像投射装置への電力供給を停止する契機となる入力を示す停止入力（上述の第１入力であってもよいし、第２入力であってもよい）を受け付ける受付部と、停止入力を受付部で受け付けた場合、画像投射装置への電力供給を停止する前に、電極に供給する電力の値を増加させる制御を行う電力制御部と、を備える形態であればよい。
【００４８】
（５）変形例５
上述の実施形態において、例えば冷却ファン制御部６５は、第１入力を受付部６１で受け付けた場合、冷却ファン４０の回転数を、現時点の値から上昇させる制御を行うこともできる。これにより、供給電力を増加させる制御が行われる電極３３の温度は上昇する一方、冷却効果が高められた管球部３１の温度は一層低下するので、第２入力を受け付けて電源オフになるまでに、電極３３と管球部３１との温度差を、相対的に広げることが可能になる。これにより、電源オフ後の水銀ブリッジの発生確率を一層低下させることができる。
【００４９】
上述の変形例３において、例えば冷却ファン制御部６５は、第２入力を受付部６１で受け付けた場合、冷却ファン４０の回転数を、現時点の値から上昇させる制御を行うこともできる。さらに、上述の変形例４において、例えば冷却ファン制御部６５は、第１入力を受付部６１で受け付けた場合、冷却ファン４０の回転数を、現時点の値から上昇させる制御を行うこともできる。要するに、停止入力を受付部６１で受け付けた場合、電力制御部６２は、電極３３に供給する電力を増加させる制御を行い、冷却ファン制御部６５は、冷却ファン４０の回転数を、現時点の値から上昇させる制御を行う形態であればよい。
【符号の説明】
【００５０】
１  プロジェクタ
２  スクリーン
３  光学装置
４  光源装置
１０  投射レンズ
１１  画像形成部
３０  高圧水銀ランプ
３１  管球部
３２  水銀
３３  電極
３４  リフレクタ
４０  冷却ファン
５０  電源ボタン
６０  制御装置
６１  受付部
６２  電力制御部
６３  報知制御部
６４  画像制御部
６５  冷却ファン制御部
【先行技術文献】
【特許文献】
【００５１】
【特許文献１】特許第４０７０４２０号公報
【図１】
2014081547.tif 000003
【図２】
2014081547.tif 000004
【図３】
2014081547.tif 000005
【図４】
2014081547.tif 000006
【図５】
2014081547.tif 000007
【図６】
2014081547.tif 000008
【図７】
2014081547.tif 000009
【図８】
2014081547.tif 000010
【図９】
2014081547.tif 000011
【図１０】
2014081547.tif 000012
【図１１】
2014081547.tif 000013